(57)【要約】      （修正有）【課題】デジタルビデオインタフェースコネクタの提供。【解決手段】内モールド体１０、二つの対向する外モールド体２０、ハウジング３０及び第１、２ケース４１，４２で構成され、内モールド体と外モールド体に端子５１，５２の挿入に供されるスロット、端子溝、及び相互に係合する凸柱と框孔が設けられ、該外モールド体の外側にスロットと上端の階段層２５が設けられ、ハウジングに内傾斜板３５及び框孔が設けられ、鉄ケースに内凸板４２１が設けられ、これにより、内モールド体と外モールド体が端子と一体成形され並びに組み合わされた後、ハウジング及び第１、２ケースと固定され、快速に強固に組み立てられる。【選択図】図６
0003110428.tif 000002
【実用新案登録請求の範囲】
【請求項１】
内モールド体、二つ外モールド体、ハウジング、第１ケース及び第２ケースを具え、
該内モールド体は、端子と一体に射出成形され、前後面に端子が挿入される端子溝と框孔が設けられ、左右端に凸柱が設けられ、両端下部に内階段層が設けられ、
該二つの外モールド体は、内モールド体がその間に結合され、外モールド体にあって内モールド体の端子溝、凸柱及び框孔に対応する部分に、端子溝、孔及び凸柱が設けられて端子の挿入及び係合に供され、外モールド体の外側に切溝が設けられ、切溝の上部に階段層が設けられ、
該ハウジングは、中空框板を具え、該框板の両側に内凹部が設けられ、上向きに設けられた凸板に内傾斜板と框孔が設けられ、該内傾斜板が内向きに外モールド体の階段層の上に圧接し、該ハウジングの框孔が外モールド体の切溝部分に対向し、框板に凸耳が設けられ、
該第１ケース及び第２ケースは、一体成形され、内モールド体、外モールド体、ハウジングが組み合わされた後の構造体を内部に被覆し、その端部に凸板が設けられてハウジングの框孔に嵌合され、並びに外モールド体の切溝に位置し、最後に第１、第２ケースの外部がプラスチックモールド成形加工されてなることを特徴とする、デジタルビデオインタフェースコネクタ。
【請求項２】
請求項１記載のデジタルビデオインタフェースコネクタにおいて、ハウジングの凸耳がプラスチックで被覆されたことを特徴とする、デジタルビデオインタフェースコネクタ。
【考案の詳細な説明】
【技術分野】
【０００１】
本考案は構造が簡単で、組立が快速に行なえ、構造が安定したデジタルビデオインタフェース（ＤＶＩ）コネクタの構造に関する。
【背景技術】
【０００２】
コネクタはここ百年来、電子伝送の必要に応じて発展した電子設備間の媒体である。電子伝送は最初の簡単な電子計算機から人々の商業要求に応じて、異なる機能を配備するものとなり、例えば、プリンタ、スキャナ及びその他の電子制御の設備が出現し、医学、宇宙科学、レーダー、航空機等に広く応用され、その精密度と安定性は用途と機能の拡張に伴いますます高くなっている。
【０００３】
コネクタのピンは要求に応じて９ピンから３１ピン以上とされ、各ピンはいずれも対応する接触点を具え、伝送する目的も異なり、これによりその使用上の安定性と製造上の組合せの正確度はコネクタの使用寿命及びその端子の接触が正常か否かに関係する。
【考案の開示】
【考案が解決しようとする課題】
【０００４】
本考案は構造が簡単で、組立が快速に行なえ、構造が安定したデジタルビデオインタフェース（ＤＶＩ）コネクタの構造を提供することを目的とする。
【課題を解決するための手段】
【０００５】
請求項１の考案は、内モールド体、二つ外モールド体、ハウジング、第１ケース及び第２ケースを具え、
該内モールド体は、端子と一体に射出成形され、前後面に端子が挿入される端子溝と框孔が設けられ、左右端に凸柱が設けられ、両端下部に内階段層が設けられ、
該二つの外モールド体は、内モールド体がその間に結合され、外モールド体にあって内モールド体の端子溝、凸柱及び框孔に対応する部分に、端子溝、孔及び凸柱が設けられて端子の挿入及び係合に供され、外モールド体の外側に切溝が設けられ、切溝の上部に階段層が設けられ、
該ハウジングは、中空框板を具え、該框板の両側に内凹部が設けられ、上向きに設けられた凸板に内傾斜板と框孔が設けられ、該内傾斜板が内向きに外モールド体の階段層の上に圧接し、該ハウジングの框孔が外モールド体の切溝部分に対向し、框板に凸耳が設けられ、
該第１ケース及び第２ケースは、一体成形され、内モールド体、外モールド体、ハウジングが組み合わされた後の構造体を内部に被覆し、その端部に凸板が設けられてハウジングの框孔に嵌合され、並びに外モールド体の切溝に位置し、最後に第１、第２ケースの外部がプラスチックモールド成形加工されてなることを特徴とする、デジタルビデオインタフェースコネクタとしている。
請求項２の考案は、請求項１記載のデジタルビデオインタフェースコネクタにおいて、ハウジングの凸耳がプラスチックで被覆されたことを特徴とする、デジタルビデオインタフェースコネクタとしている。
【考案の効果】
【０００６】
本考案のデジタルビデオインタフェースコネクタは、内モールド体と外モールド体の中間にスロットと端子溝が設けられて３列の端子、及び長さの異なる端子の使用に供され、内モールド体は端子と一体に射出成形され、各端子と電線の接触体積を一致させることができ、これにより信号が同期に正確に伝達され、且つ端子がほぞ孔式設計とされ、加工速度が速く、半田付け不要である。
【０００７】
本考案のデジタルビデオインタフェースコネクタは、内モールド体と外モールド体間に凸柱と框孔が設けられ、これにより二つの外モールド体が結合され一体とされる。
【０００８】
本考案のデジタルビデオインタフェースコネクタは、外モールド体に切溝と階段層が設けられ、これにより外モールド体の第１、２鉄ケースの内傾斜板、凸板に結合される。
【０００９】
本考案のデジタルビデオインタフェースコネクタの第１、２鉄ケースは一体成形される。
【考案を実施するための最良の形態】
【００１０】
本考案のデジタルビデオインタフェースコネクタは、内モールド体１０、二つの外モールド体２０、ハウジング３０、及び第１鉄ケース４１、第２鉄ケース４２で構成されている。図１に示されるように、内モールド体１０は端子と一体成形され、前後面の左右両側にそれぞれ凸柱１１が設けられ、内モールド体１０の中間に大スロット１６と複数の小スロット１２が設けられ、前後面の大スロット１６に近い部分に端子溝１４が設けられ、この大スロット１６と小スロット１２が異なるサイズの端子をそのうちに入れて一体成形するのに供される。端子溝１４は内凹端子状を呈し、端子をその内部に入れることができる。また、内モールド体１０には二つの貫通する框孔１３が設けられ、両側に内向きの内階段層１５が設けられている。
【００１１】
図２は外モールド体２０の表示図である。二つの外モールド体２０は対応するサイズとされ、それに孔２１が設けられて該孔２１により内モールド体１０の凸柱１１に嵌合され、また内モールド体１０の框孔１３に対応する凸柱２３を具えている。その内側部分に小スロット２２と端子溝２４が設けられ、外側に切溝２６と相互に接続された階段層２７が設けられ、下方に内階段層２５設けられている。
【００１２】
図３はハウジング３０の実施表示図であり、外モールド体２０を収容できる中空框板３２を具え、外モールド体２０の内階段層２５が框板３２の上端に当接する。框板３２の両側に内凹部３３が設けられ、上方に凸板３４が設けられ、凸板３４に外モールド体２０の階段層２７に圧接する内傾斜板３５と框孔３６が設けられ、框板３２より外向きに凸耳３１が延伸されている。
【００１３】
組合せ時には、図４、５に示されるように、長短端子５１、５２がほぞ孔式設計とされ、電線結合時に半田付け不要である。端子５１、５２と内モールド体１０はまず一体射出成形され、各端子と電線の接触体積が一致し、各信号伝送速度が一致し、更に内モールド体１０が外モールド体２０の間に置かれ、その框孔１３、凸柱１１及び凸柱１３、孔２１の組合せにより、三者が結合され一体とされ、図６に示されるように、このとき一体成形された第１鉄ケース４１、第２鉄ケース４２が結合され、それは前端の内向きの凸板４２１がハウジング３０の框孔３６内に挿入されて外モールド体２０の切溝２６中に固定される。完成後に、更に第１鉄ケース４１、第２鉄ケース４２の外部にプラスチックモールド成形加工が行なわれ、ハウジング３０の凸耳３１が被覆され、外力による破壊が防止される。
【００１４】
総合すると、本考案のデジタルビデオインタフェースコネクタは組合せ部品が簡単で、組合せが安定し、実用価値が高く、経済的であり、改良された機能を具備する考案である。
【図面の簡単な説明】
【００１５】
【図１】本考案の内モールド体の実施例図である。
【図２】本考案の外モールド体の実施例図である。
【図３】本考案のハウジングの実施例図である。
【図４】本考案の図１と端子の組合せ図である。
【図５】本考案の図２と端子の組合せ図である。
【図６】本考案の組合せ実施例図である。
【符号の説明】
【００１６】
１０  内モールド体        １１  凸柱            １２  スロット
１３  框孔                １４  端子溝          １５  内階段層
１６  大スロット          ２０  外モールド体    ２１  孔
２２  スロット            ２３  凸柱            ２５  内階段層
２６  切溝                ２７  階段層          ３０  ハウジング
３１  凸耳                ３２  框板            ３３  内凹部
３４  凸板                ３５  内傾斜板        ４１  第１鉄ケース
４２  第２鉄ケース          ４２１  凸板          ５１、５２  端子
【図１】
0003110428.tif 000003
【図２】
0003110428.tif 000004
【図３】
0003110428.tif 000005
【図４】
0003110428.tif 000006
【図５】
0003110428.tif 000007
【図６】
0003110428.tif 000008